【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
デバイスが１つまたは複数の伝送点（ＴＰ）と通信するための方法であって、前記方法は、
複数の基準信号を受信することと、
前記複数の基準信号に対して複数の測定を実施することと、
前記複数の測定に基づいて、前記複数の基準信号から、閾値を上回る測定結果を伴う1つの基準信号を選択することであって、前記閾値は、ハンドオーバプロシージャ中に受信される、ことと、
システム情報を含む信号を受信することであって、前記システム情報は、許可されたランダムアクセスリソースのセットと前記１つの基準信号との間のマッピングを示す構成を含む、ことと、
ランダムアクセス信号を前記１つまたは複数のＴＰのうちの少なくとも１つに伝送するために、前記マッピングに基づいて、前記許可されたランダムアクセスリソースのセットからランダムアクセスリソースを選択することと
を含む、方法。
【請求項２】
前記システム情報は、第１のシステム情報および第２のシステム情報のどちらかであり、各々は、許可されたランダムアクセスリソースの異なるセットと前記１つの基準信号との間の異なるマッピングを示す異なる構成を含む、請求項１に記載の方法。
【請求項３】
前記許可されたランダムアクセスリソースの異なるセットは、一部重複する、請求項２に記載の方法。
【請求項４】
前記許可されたランダムアクセスリソースの異なるセットは、散逸される、請求項２に記載の方法。
【請求項５】
前記許可されたランダムアクセスリソースのセットは、前記１つまたは複数のＴＰから前記デバイスに示される、請求項１に記載の方法。
【請求項６】
前記ランダムアクセスリソースを選択することは、前記複数の基準信号の中で最も高い伝送電力を有する前記１つの基準信号と対応するランダムアクセスリソースを選定することを含む、請求項１に記載の方法。
【請求項７】
前記ランダムアクセスリソースを選択することは、前記複数の基準信号の中で最も高い予期されるスペクトル効率を有する前記１つの基準信号と対応するランダムアクセスリソースを選定することを含む、請求項１に記載の方法。
【請求項８】
前記閾値は、ブロードキャストされたシステム情報から受信される、請求項１に記載の方法。
【請求項９】
１つまたは複数の伝送点（ＴＰ）がデバイスと通信するための方法であって、前記方法は、
複数の基準信号を前記デバイスに送信することであって、前記複数の基準信号は、前記デバイスが複数の測定を実施するように構成される、ことと、
システム情報を含む信号を送信することであって、前記システム情報は、許可されたランダムアクセスリソースのセットと前記複数の基準信号からの１つの基準信号との間のマッピングを示す構成を含み、前記１つの基準信号は、前記複数の測定から取得される測定結果を伴い、前記測定結果は、閾値を上回り、前記閾値は、ハンドオーバプロシージャ中に受信される、ことと、
前記マッピングに基づいて前記デバイスによって前記許可されたランダムアクセスリソースのセットから選択されたランダムアクセスリソース上で前記デバイスからランダムアクセス信号を受信することと
を含む、方法。
【請求項１０】
前記システム情報は、第１のシステム情報および第２のシステム情報のどちらかであり、各々は、許可されたランダムアクセスリソースの異なるセットと前記１つの基準信号との間の異なるマッピングを示す異なる構成を含む、請求項９に記載の方法。
【請求項１１】
前記許可されたランダムアクセスリソースの異なるセットは、散逸する、または、一部重複する、請求項１０に記載の方法。
【請求項１２】
前記許可されたランダムアクセスリソースのセットは、前記１つまたは複数のＴＰから前記デバイスに示される、請求項９に記載の方法。
【請求項１３】
伝送点（ＴＰ）であって、前記ＴＰは、送受信機を備え、
前記送受信機は、
複数の基準信号をデバイスに送信することであって、前記複数の基準信号は、前記デバイスが複数の測定を実施するように構成される、ことと、
システム情報を含む信号を送信することであって、前記システム情報は、許可されたランダムアクセスリソースのセットと前記複数の基準信号からの１つの基準信号との間のマッピングを示す構成を含み、前記１つの基準信号は、前記複数の測定から取得される測定結果を伴い、前記測定結果は、閾値を上回り、前記閾値は、ハンドオーバプロシージャ中に伝送される、ことと、
前記マッピングに基づいて前記デバイスによって前記許可されたランダムアクセスリソースのセットから選択されたランダムアクセスリソース上で前記デバイスからランダムアクセス信号を受信することと
を行うように構成される、ＴＰ。
【請求項１４】
前記許可されたランダムアクセスリソースのセットは、前記ＴＰから前記デバイスに示される、請求項１３に記載のＴＰ。
【請求項１５】
デバイスであって、前記デバイスは、
複数の基準信号を受信するように構成される受信機と、
少なくとも１つのプロセッサであって、前記少なくとも１つのプロセッサは、
前記複数の基準信号に対して複数の測定を実施することと、
前記複数の測定に基づいて、前記複数の基準信号から、閾値を上回る測定結果を伴う1つの基準信号を選択することであって、前記閾値は、ハンドオーバプロシージャ中に伝送される、ことと
を行うように構成される、少なくとも１つのプロセッサと
を備え、
前記受信機は、システム情報を含む信号を受信することを行うようにさらに構成され、前記システム情報は、許可されたランダムアクセスリソースのセットと前記１つの基準信号との間のマッピングを示す構成を含み、
前記少なくとも１つのプロセッサは、ランダムアクセス信号を少なくとも１つのＴＰに伝送するために、前記マッピングに基づいて、前記許可されたランダムアクセスリソースのセットからランダムアクセスリソースを選択することを行うようにさらに構成される、デバイス。
【請求項１６】
前記許可されたランダムアクセスリソースのセットは、前記少なくとも１つのＴＰから前記デバイスに示される、請求項１５に記載のデバイス。
【手続補正２】
【補正対象書類名】明細書
【補正対象項目名】０００７
【補正方法】変更
【補正の内容】
【０００７】
本発明のさらなる特徴および利点、ならびに本発明の種々の実施形態の構造および動作は、付随の図面を参照して以下に詳細に説明される。
本発明は、例えば、以下を提供する。
（項目１）
デバイスが１つまたはそれを上回る伝送点（ＴＰ）と通信するための方法であって、
１つまたはそれを上回る同期信号を受信するステップと、
前記１つまたはそれを上回る同期信号から同期基準を導出するステップと、
複数の基準信号を受信するステップと、
前記導出された同期基準に基づいて、前記複数の基準信号に対して複数の測定を実施するステップと、
前記複数の測定に基づいて、複数のランダムアクセスリソースを選択するステップと、
ランダムアクセス信号を前記１つまたはそれを上回るＴＰのうちの少なくとも１つに伝送するために、前記複数のランダムアクセスリソースからランダムアクセスリソースを選択するステップと
を含む、方法。
（項目２）
前記同期基準は、信号を伝送および／または受信する間の基準として使用され得る、時間における基準パラメータ、周波数における基準パラメータ、コードにおける基準パラメータ、空間における基準パラメータ、電力における基準パラメータ、またはそれらの組み合わせを含む、項目１に記載の方法。
（項目３）
前記１つまたはそれを上回るＴＰに、ランダムアクセス応答信号を伝送するかどうかを判定するように、前記ランダムアクセス信号が前記複数のランダムアクセスリソースのうちの少なくとも１つの上にあるかどうかを検出させるために、前記ランダムアクセス信号を使用するステップと、
前記ランダムアクセス応答信号の受信に応答して、データを前記１つまたはそれを上回るＴＰに伝送するステップと
をさらに含む、項目１に記載の方法。
（項目４）
システム情報を含む１つまたはそれを上回る他の信号を受信するステップをさらに含み、前記システム情報は、前記選択された複数のランダムアクセスリソースの構成を含む、項目１に記載の方法。
（項目５）
前記１つまたはそれを上回るＴＰは、前記１つまたはそれを上回る同期信号が前記同期基準を共有するように、相互に同期される、項目１に記載の方法。
（項目６）
前記１つまたはそれを上回るＴＰは、多地点協調（ＣｏＭＰ）セットを構成する、項目１に記載の方法。
（項目７）
前記１つまたはそれを上回るＴＰは、単一マルチアンテナＴＰ内の複数のアンテナに対応する、項目１に記載の方法。
（項目８）
前記複数の基準信号はそれぞれ、前記マルチアンテナＴＰによって形成されるビームに沿って受信される、項目７に記載の方法。
（項目９）
前記１つまたはそれを上回る同期信号は、前記１つまたはそれを上回るＴＰのうちの少なくとも１つのプライマリ同期信号（ＰＳＳ）、セカンダリ同期信号（ＳＳＳ）、および／またはセル特有基準信号（ＣＲＳ）を含む、項目１に記載の方法。
（項目１０）
前記複数の基準信号に対して複数の測定を実施するステップは、前記複数の基準信号の伝送電力を測定するステップを含む、項目１に記載の方法。
（項目１１）
前記複数のランダムアクセスリソースからランダムアクセスリソースを選択するステップは、前記複数の基準信号間で最も高い伝送電力を有する１つの基準信号と対応するランダムアクセスリソースを選定するステップを含む、項目１０に記載の方法。
（項目１２）
前記複数の基準信号に対して複数の測定を実施するステップは、前記複数の基準信号の予期されるスペクトル効率を測定するステップを含む、項目１に記載の方法。
（項目１３）
前記複数のランダムアクセスリソースからランダムアクセスリソースを選択するステップは、前記複数の基準信号間で最も高い予期されるスペクトル効率を有する１つの基準信号と対応するランダムアクセスリソースを選定するステップを含む、項目１２に記載の方法。
（項目１４）
前記複数のランダムアクセスリソースは、時間および周波数ドメインにおけるリソースブロック（ＲＢ）のセットならびに／または許可されたランダムアクセスプリアンブルのセットによって定義される許可されたランダムアクセスリソースのセットを含む、項目１に記載の方法。
（項目１５）
デバイスが伝送点（ＴＰ）と通信するための方法であって、
前記ＴＰから１つまたはそれを上回る同期信号を受信するステップと、
前記１つまたはそれを上回る同期信号から同期基準を導出するステップと、
前記ＴＰから複数の基準信号を受信するステップと、
前記導出された同期基準に基づいて、前記複数の基準信号に対して複数の測定を実施するステップと、
前記複数の測定に基づいて、複数のランダムアクセスリソースを選択するステップと、
ランダムアクセス信号を前記ＴＰに伝送するために、前記複数のランダムアクセスリソースからランダムアクセスリソースを選択するステップと
を含む、方法。
（項目１６）
前記同期基準は、信号を伝送および／または受信する間の基準として使用され得る、時間における基準パラメータ、周波数における基準パラメータ、コードにおける基準パラメータ、空間における基準パラメータ、電力における基準パラメータ、またはそれらの組み合わせを含む、項目１５に記載の方法。
（項目１７）
前記ＴＰに、ランダムアクセス応答信号を伝送するかどうかを判定するように、前記ランダムアクセス信号が前記複数のランダムアクセスリソースのうちの少なくとも１つの上にあるかどうかを検出させるために、前記ランダムアクセス信号を伝送するために選択されたランダムアクセスリソースを使用するステップと、
前記ランダムアクセス応答信号の受信に応答して、データを前記ＴＰに伝送するステップと
をさらに含む、項目１５に記載の方法。
（項目１８）
前記ＴＰは、複数のアンテナを含み、各アンテナは、ビーム形成を伝送および受信することが可能である、項目１５に記載の方法。
（項目１９）
前記複数の基準信号に対して複数の測定を実施するステップは、前記複数の基準信号の伝送電力を測定するステップを含む、項目１５に記載の方法。
（項目２０）
前記複数のランダムアクセスリソースからランダムアクセスリソースを選択するステップは、前記複数の基準信号間で最も高い伝送電力を有する１つの基準信号と対応するランダムアクセスリソースを選定するステップを含む、項目１９に記載の方法。
（項目２１）
前記複数の基準信号に対して複数の測定を実施するステップは、前記複数の基準信号の予期されるスペクトル効率を測定するステップを含む、項目１５に記載の方法。
（項目２２）
前記複数のランダムアクセスリソースからランダムアクセスリソースを選択するステップは、前記複数の基準信号間で最も高い予期されるスペクトル効率を有する１つの基準信号と対応するランダムアクセスリソースを選定するステップを含む、項目２１に記載の方法。
（項目２３）
前記複数のランダムアクセスリソースは、時間および周波数ドメインにおけるリソースブロック（ＲＢ）のセットならびに／または許可されたランダムアクセスプリアンブルのセットによって定義される許可されたランダムアクセスリソースのセットを含む、項目１５に記載の方法。
（項目２４）
伝送点（ＴＰ）がランダムアクセスリソースの量を調節するための方法であって、
同期信号を１つまたはそれを上回るデバイスに伝送するステップと、
１つまたはそれを上回る基準信号を前記１つまたはそれを上回るデバイスに伝送するステップであって、各基準信号は、前記ＴＰのランダムアクセスリソースのセットと関連付けられる、ステップと、
前記１つまたはそれを上回るデバイスから１つまたはそれを上回るランダムアクセス信号を受信するステップであって、前記１つまたはそれを上回るランダムアクセス信号はそれぞれ、前記ランダムアクセスリソースのセットのうちの少なくとも１つと対応する、ステップと、
前記１つまたはそれを上回るランダムアクセス信号に基づいて、前記基準信号のうちの少なくとも１つの伝送電力を調節するステップと
を含む、方法。
（項目２５）
前記基準信号のうちの少なくとも１つの伝送電力を調節するステップは、前記基準信号のうちの少なくとも１つの伝送を選択的に中止するステップを含む、項目２４に記載の方法。
（項目２６）
１つまたはそれを上回る伝送点（ＴＰ）と通信するように構成されるデバイスであって、
少なくとも１つのプロセッサを備え、
前記少なくとも１つのプロセッサは、
１つまたはそれを上回る同期信号を受信することと、
前記１つまたはそれを上回る同期信号から同期基準を導出することと、
複数の基準信号を受信することと、
前記導出された同期基準に基づいて、前記複数の基準信号に対して複数の測定を実施することと、
前記複数の測定に基づいて、複数のランダムアクセスリソースを選択することと、
ランダムアクセス信号を前記１つまたはそれを上回るＴＰのうちの少なくとも１つに伝送するために、前記複数のランダムアクセスリソースからランダムアクセスリソースを選択することと、
を行うように構成される、デバイス。
（項目２７）
前記同期基準は、信号を伝送および／または受信する間の基準として使用され得る、時間における基準パラメータ、周波数における基準パラメータ、コードにおける基準パラメータ、空間における基準パラメータ、電力における基準パラメータ、またはそれらの組み合わせを含む、項目２６に記載のデバイス。
（項目２８）
前記少なくとも１つのプロセッサは、
前記１つまたはそれを上回るＴＰに、ランダムアクセス応答信号を伝送するかどうかを判定するように、前記ランダムアクセス信号が複数のランダムアクセスリソースのうちの少なくとも１つの上にあるかどうかを検出させるために、前記ランダムアクセス信号を伝送するために選択されたランダムアクセスリソースを使用することと、
前記ランダムアクセス応答信号の受信に応答して、データを前記１つまたはそれを上回るＴＰに伝送することと
を行うように構成される、項目２６に記載のデバイス。
（項目２９）
前記少なくとも１つのプロセッサは、システム情報を含む１つまたはそれを上回る他の信号を受信するように構成され、前記システム情報は、前記選択された複数のランダムアクセスリソースについての構成情報を含む、項目２６に記載のデバイス。
（項目３０）
前記１つまたはそれを上回るＴＰは、前記１つまたはそれを上回る同期信号が前記同期基準を共有するように、相互に同期される、項目２６に記載のデバイス。
（項目３１）
前記１つまたはそれを上回るＴＰは、多地点協調（ＣｏＭＰ）セットを構成する、項目２６に記載のデバイス。
（項目３２）
前記１つまたはそれを上回るＴＰは、単一マルチアンテナＴＰ内の複数のアンテナに対応する、項目２６に記載のデバイス。
（項目３３）
前記複数の基準信号はそれぞれ、複数のアンテナを含むＴＰによって形成されるビームに沿って受信される、項目２６に記載のデバイス。